(57)【要約】【課題】証紙番号等の識別情報が付された部材の不正な取り付けや取り外しを抑制することができる遊技機を提供すること。【解決手段】証紙が付された証紙プレート３０８が取り外された場合に遊技盤８１が破損されることにより痕跡が残る。また、その痕跡は遊技盤８１の証紙プレート３０８が取り付けられる領域の外側に残るようにする。証紙プレート３０８を取り外した後に、再度証紙プレート３０８を取り付けたとしても、痕跡は証紙プレート３０８が取り付けられる領域の外側に残るので、その痕跡が遊技盤８１の外部から視認可能であるように構成されている。【選択図】      図１０
2010284208.tif 000002
【特許請求の範囲】
【請求項１】
固有の識別情報を有する識別部材と、前記識別部材が取り付けられた被取り付け部品と、を有する遊技機であって、
前記被取り付け部品は外部から視認可能である痕跡形成部を備え、前記識別部材が取り外された場合に前記痕跡形成部に痕跡が残ることを特徴とする遊技機。
【請求項２】
前記被取り付け部品から前記識別部材を取り外した場合に前記痕跡形成部が破損することにより前記痕跡が残ることを特徴とする請求項１に記載の遊技機。
【請求項３】
前記痕跡の少なくとも一部は、前記被取り付け部品が前記遊技機から取り外された状態で視認可能であることを特徴とする請求項１又は２に記載の遊技機。
【請求項４】
前記識別部材は支持部材により前記被取り付け部品に取り付けられており、
前記識別部材が前記被取り付け部品から取り外される場合に、前記支持部材により前記被取り付け部品が破損させられることを特徴とする請求項２又は３に記載の遊技機。
【請求項５】
前記被取り付け部品に貫通させて形成された貫通部を備え、
前記識別部材は前記貫通部を介して前記支持部材と連結され、
前記識別部材及び前記支持部材は少なくとも互いに連結された状態では前記貫通部を通り抜け不能であり、
前記支持部材を前記識別部材側の前記被取り付け部品に投影させた領域の少なくとも一部は、前記識別部材が前記被取り付け部品に取り付けられている領域の外側に位置することを特徴とする請求項４に記載の遊技機。
【発明の詳細な説明】
【技術分野】
【０００１】
本発明は、遊技機に関するものである。
【背景技術】
【０００２】
例えば、パチンコ機等の遊技機は、固有の番号等の識別情報が付された部材（例えば、証紙が付された証紙プレート）が取り付けられ、当該識別情報が出荷先等と関連付けて管理されている（例えば、特許文献１参照）。
【０００３】
遊技機のうち識別情報が付された部材が取り付けられた遊技部品を不良品から新たなものに交換する際等は、新たな識別情報の発行手続きや管理対象である識別情報の更新等に手間がかかることが考えられる。よって、識別情報が付された部材を遊技機から取り外して新たな遊技機に取り付ける場合もあった。
【先行技術文献】
【特許文献】
【０００４】
【特許文献１】特開２００７−２９６０９２号公報
【発明の概要】
【発明が解決しようとする課題】
【０００５】
しかし、識別情報が付された部材を遊技機から取り外して新たな遊技機に取り付ける場合、識別情報と遊技機との対応関係が変わるので、遊技機の管理上、不都合が生じる虞がある。
【０００６】
なお、上記問題は、パチンコ機に限って発生するものではなく、識別情報が付された部材が取り付けられた遊技部品が脱着できる他の遊技機、例えばスロットマシン等の回胴式遊技機にも同様に発生し得る。
【０００７】
本発明は、上記例示した事情等に鑑みてなされたものであり、識別情報が付された部材の交換を可能としつつ、遊技機管理上の不都合を抑制することができる遊技機を提供することを目的とするものである。
【課題を解決するための手段】
【０００８】
以下、上記課題を解決するための手段について記載する。
【０００９】
請求項１記載の発明は、固有の識別情報を有する識別部材と、前記識別部材が取り付けられた被取り付け部品と、を有する遊技機であって、前記被取り付け部品は外部から視認可能である痕跡形成部を備え、前記識別部材が取り外された場合に前記痕跡形成部に痕跡が残ることを特徴とする。
【発明の効果】
【００１０】
識別情報が付された部材の交換を可能としつつ、遊技機管理上の不都合を抑制する。
【図面の簡単な説明】
【００１１】
【図１】パチンコ機の正面図
【図２】パチンコ機の主要な構成を展開して示す斜視図
【図３】本体枠の正面図
【図４】遊技盤の正面図
【図５】遊技盤の前方からみた斜視図
【図６】（ａ）前方からみた証紙プレートの取り付け斜視図、（ｂ）後方からみた証紙プレートの取り付け斜視図
【図７】（ａ）前方からみた証紙プレートが取り付けられた状態を示す一部断面斜視図、（ｂ）後方からみた証紙プレートが取り付けられた状態を示す一部断面斜視図、（ｃ）側方からみた証紙プレートが取り付けられた状態を示す一部断面図
【図８】（ａ）前方からみた証紙プレートを取り外した状態を示す一部断面斜視図、（ｂ）後方からみた証紙プレートを取り外した状態を示す一部断面斜視図、（ｃ）側方からみた証紙プレートを取り外した状態を示す一部断面図
【図９】証紙プレートから切り離し部を取り外す状態を示す一部断面斜視図
【図１０】第２の実施形態における後方からみた証紙プレートの組み付け斜視図
【図１１】後方からみた証紙プレートを取り付けられた状態を示す斜視図
【図１２】証紙プレートの係合状態を示す平面断面図
【図１３】第３の実施形態における後方からみた証紙プレートの組み付け斜視図
【図１４】証紙プレートが取り付けられた状態を示す側面断面図
【図１５】（ａ）第４の実施形態における証紙プレートが遊技盤に取り付けられた状態を示す正面図、（ｂ）図１５（ａ）のＣ−Ｃ線分部における断面図
【発明を実施するための形態】
【００１２】
＜第１の実施形態＞
以下、遊技機の一種であるパチンコ遊技機（以下、「パチンコ機」という）の一実施の形態を、図面に基づいて詳細に説明する。図１はパチンコ機１０の正面図、図２はパチンコ機１０の主要な構成を展開して示す斜視図である。
【００１３】
パチンコ機１０は、当該パチンコ機１０の外殻を形成する外枠１１と、この外枠１１に対して前方に回動可能に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【００１４】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能に支持されている。詳細には、正面視で左側を回動基端側とし右側を回動先端側として本体枠１３が前方へ回動可能とされている。
【００１５】
本体枠１３には、図２に示すように、前扉枠１４が回動可能に支持されており、正面視で左側を回動基端側とし右側を回動先端側として前方へ回動可能とされている。また、本体枠１３には、裏パックユニット１５が回動可能に支持されている。
【００１６】
次に、前扉枠１４について説明する。前扉枠１４は本体枠１３の前面側全体を覆うようにして設けられている。前扉枠１４には遊技領域ＰＡのほぼ全域を前方から視認することができるようにした窓部２１が形成されている。窓部２１は、略楕円形状をなし、透明性を有するガラス２２が嵌め込まれている。窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、上部の左右の位置には、遊技状態に応じた効果音などが出力されるスピーカ部２６が設けられている。
【００１７】
前扉枠１４における窓部２１の下方には、前方へ膨出した上側膨出部３１と下側膨出部３２とが上下に並設されている。上側膨出部３１には上方に開口した上皿３３が設けられており、下側膨出部３２には同じく上方に開口した下皿３４が設けられている。上皿３３は、払出装置より払い出された遊技球を一旦貯留し、一列に整列させながら遊技球発射機構１１０側へ導くための機能を有する。また、下皿３４は、上皿３３内にて余剰となった遊技球を貯留する機能を有する。
【００１８】
正面視で下側膨出部３２の右方には、手前側へ突出するようにして遊技球発射ハンドル４１が設けられている。遊技球発射ハンドル４１が操作されることにより、遊技球発射機構１１０から遊技球が発射される。
【００１９】
前扉枠１４の背面には、通路形成ユニット５０が取り付けられている。通路形成ユニット５０は、合成樹脂により成形されている。通路形成ユニット５０において、その上側隅部には後方に突出し上方に開放された受口部５１が形成されており、当該受口部５１を仕切壁５２によって左右に仕切ることで上皿３３に通じる前扉側上皿通路の入口部分５３と下皿３４に通じる前扉側下皿通路の入口部分５４とが形成されている。入口部分５３から前扉側上皿通路に入った遊技球は上皿３３に導かれ、入口部分５４から前扉側下皿通路に入った遊技球は下皿３４に導かれる。
【００２０】
前扉枠１４の背面における回動先端側には、後方に延びる鉤金具６３が上下方向に複数並設されている。これら鉤金具６３は本体枠１３に対する施錠機構を構成する。
【００２１】
次に、本体枠１３について詳細に説明する。図３は本体枠１３の正面図である。
【００２２】
本体枠１３は、外形が外枠１１とほぼ同一形状をなす樹脂ベース７１を主体に構成されている。樹脂ベース７１の前面における回動基端側（図３の左側）には、その上端部及び下端部に支持金具７２，７３が取り付けられており、支持金具７２には軸孔が、支持金具７３には突起軸が形成されている。図示は省略するが、支持金具７２の軸孔に前扉枠１４の突起軸が挿入され、支持金具７３の突起軸が前扉枠１４の軸孔に挿入されることにより、本体枠１３に対して前扉枠１４が回動可能に支持されている。
【００２３】
樹脂ベース７１の前面における回動先端側（図３の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【００２４】
樹脂ベース７１の右下部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。
【００２５】
樹脂ベース７１の中央部には略楕円形状の窓孔７６が形成されている。樹脂ベース７１には遊技盤８１が着脱可能に取り付けられている。遊技盤８１は絵柄が印刷された透明樹脂シート等の化粧部材を合板に貼着してなり、遊技盤８１の前面に形成された遊技領域ＰＡが樹脂ベース７１の窓孔７６を通じて本体枠１３の前面側に露出した状態となっている。
【００２６】
樹脂ベース７１における窓孔７６の下方には、遊技球発射機構１１０が取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域ＰＡに向けて打ち出す。
【００２７】
発射レール１１２と遊技盤８１に取り付けられた内，外レール部１０１，１０２との間には所定間隔の隙間があり、この隙間より下方には前扉枠１４の通路形成ユニット５０に形成されたファール球通路５５（図２参照）が配設されている。したがって、仮に遊技球発射機構１１０から発射された遊技球が遊技領域ＰＡの上部に到達せずに、内，外レール部１０１，１０２によって構成される誘導レールを逆戻りする場合には、そのファール球がファール球通路５５内に入る。ファール球通路５５は前扉側下皿通路に通じており、ファール球通路５５に入った遊技球は下皿３４に排出される。
【００２８】
次に、遊技盤８１の構成を図４及び図５に基づいて説明する。図４は遊技盤の正面図、図５はその前方からみた斜視図である。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２、可変入賞装置８３及び作動口８４に遊技球が入ると、それが検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域ＰＡから排出される。また、遊技盤８１には、遊技球の落下方向を適宜分散、調整等するために多数の釘８８が植設されていると共に、風車等の各種部材（役物）が配設されている。
【００２９】
可変表示ユニット８６には、作動口８４へ遊技球が入賞した場合に図柄を可変表示する図柄表示装置９１が設けられている。また、可変表示ユニット８６には、図柄表示装置９１を囲むようにしてセンターフレーム９２が配設されている。
【００３０】
図柄表示装置９１は、液晶ディスプレイを備えた液晶表示装置として構成されており、表示制御装置により表示内容が制御される。図柄表示装置９１には、例えば上、中及び下に並べて図柄が表示され、これらの図柄が左右方向にスクロールされるようにして変動表示されるようになっている。そして、予め設定されている有効ライン上に所定の組合せの図柄が停止表示された場合には、特別遊技状態が発生することとなる。
【００３１】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【００３２】
遊技盤８１には、内レール部１０１と外レール部１０２とが取り付けられており、これら内レール部１０１と外レール部１０２とにより誘導レールが構成され、遊技球発射機構１１０から発射された遊技球が遊技領域ＰＡの上部に案内されるようになっている。
【００３３】
遊技盤８１における遊技領域ＰＡの下方（図４の右下）には、証紙２００が貼り付けられた証紙プレート２０１が固定されている。図１又は図２に示すように、前扉枠１４の証紙プレート２０１に対応する位置には前面側を開放されて後方に延びる筒部３５と筒部３５の前面側を覆う透明板３６とから構成された証紙視認窓３７が形成されている。よって、前扉枠１４が閉鎖した状態でも、パチンコ機１０の前方から証紙視認窓３７を介して証紙プレート２０１を視認することが可能である。
【００３４】
上記証紙２００には、遊技機の製造番号、企業名、製造年度及びこれらをコード化した光学的に読み取り可能な情報等が付されているが、これらに限らず、所定の遊技機管理団体の検査を受けたことを示す情報、前記管理団体が付した管理番号、遊技機の機種番号等が付される場合もある。
【００３５】
なお、図示は省略するが外枠１１等には直接証紙が張られていることがある。これは外枠１１のみを交換する頻度が少なく、外枠１１に張られている証紙を再利用することが少ないためである。この点、遊技盤８１は外枠１１と比較して交換する可能性が高く、証紙番号の再発行の手間等に鑑みても、証紙２００が貼付された証紙プレート２０１を再利用できるように構成しておくことが好ましい。
【００３６】
次に、証紙プレート２０１の取り付け態様ついて詳細に説明する。図６（ａ）は前方からみた証紙プレートの取り付け斜視図、図６（ｂ）は後方からみた証紙プレートの取り付け斜視図、図７（ａ）は前方からみた証紙プレートが取り付けられた状態を示す一部断面斜視図、図７（ｂ）はその後方からみた一部断面斜視図、図７（ｃ）はその側方からみた一部断面図である。
【００３７】
証紙プレート２０１は、表面に証紙貼着面が形成された平板状のプレート部２０１ａと、プレート部２０１ａの後面から後方に延びた円筒状に形成された被支持部２０２と、被支持部２０２の内周面の上下に突出させて形成された係合片２０３と、プレート部の周囲から後方に延びるスカート部２０１ｂとを有する。証紙プレート２０１は、遊技盤８１に前後に貫通して形成された貫通孔８０１を介して支持部材３００と係合させることにより、遊技盤８１に固定されている。
【００３８】
遊技盤８１後面の左下隅部には当該後面を薄く縦長に窪ませて収容部８０７が形成されている。収容部８０７の中央には遊技盤８１の前後方向に貫通させて貫通孔８０１が形成されており、その貫通孔８０１の下面は段差部８０１ａを介して前方側が一段低く形成されている。また、収容部８０７における貫通孔８０１の上下には、前方に薄板部８０３を残して開口された係合孔８０４が形成されており、係合孔８０４の直径は前部側が後部側より一段大きく形成されている。薄板部８０３は、遊技盤８１を正面視した状態で証紙プレート２０１が取り付けられる領域より上方および下方にそれぞれ形成されている。また、薄板部８０３は遊技盤８１の合板部分を薄く残して形成してもよいし、化粧部材のみから形成してもよい。遊技盤８１前面における貫通孔８０１の下方には、左右に延びる回転抑止部８０８が前方に突出させて形成されており、その下面は証紙プレート２０１のスカート部２０１ｂの下壁の上面と当接している。これにより、証紙プレート２０１が遊技盤８１に取り付けられた状態で回転することを抑制している。
【００３９】
支持部材３００は、板状のベース３０１を収容部８０７に嵌められて、遊技盤８１の後面に取り付けられている。ベース３０１は収容部８０７とほぼ同一の大きさ及び形状であり、後面視で円形状の第１ベース部３０１ａと、第１ベース部３０１ａから上下方向にそれぞれ延びた第２ベース部３０１ｂとを有する。なお、ほぼ同一の大きさ及び形状としては、ベース３０１が収容部８０７に嵌められることが可能で、後面視でベース３０１の面積が収容部８０７の面積の８〜１０割になるような大きさ及び形状が好ましい。
【００４０】
第２ベース部３０１ｂの前面には前方に突出させて係合部３０２がそれぞれ設けられている。係合部３０２の前部側は、前側上方及び前側下方に分岐した分岐部３０２ａと、それぞれの分岐部３０２ａの前部側から後方に延びる後延部３０２ｂを有し、上下方向に弾性変形可能に形成されている。係合部３０２の前部側が遊技盤８１の係合孔８０４の前部側まで挿入されることにより、係合孔８０４に係合部３０２が係合している。係合部３０２が係合孔８０４に挿入及び係合されることにより、支持部材３００は遊技盤８１後面に固定されている。
【００４１】
なお、証紙プレート２０１を取り外すにあたって、第１ベース部３０１ａと第２ベース部３０１ｂとは分離され、第１ベース部３０１ａは証紙プレート２０１とともに遊技盤８１の前方側に取り出される。この場合、第１ベース部３０１ａが貫通孔８０１を通り抜けることができるようにする必要があるので、貫通孔８０１の上下方向及び左右方向の長さは第１ベース部３０１ａの直径より大きく形成されている。
【００４２】
また、第１ベース部３０１ａの前面には、上下の係合部３０２に挟まれるようにして、前方に向けて支持部３０３が設けられている。支持部３０３の前部側は係合部３０２と同様に分岐部３０３ａ及び後延部３０３ｂを有し上下方向に弾性変形可能に形成されている。支持部３０３は貫通孔８０１に挿入されており、貫通孔８０１内で証紙プレート２０１の被支持部２０２に挿入されている。支持部材３００の支持部３０３を証紙プレート２０１の被支持部２０２に挿入させて係合片２０３に係合させることにより、証紙プレート２０１が遊技盤８１前面の位置で支持されている。証紙プレート２０１が支持部材３００に支持されなくとも被支持部２０２が貫通孔８０１に支持されることにより、証紙プレート２０１が遊技盤８１前面の位置に留まることが想定されるが、これを回避するために、被支持部２０２の外径を貫通孔８０１の内径より十分に小さく形成されている。
【００４３】
ベース３０１の後面には、第１ベース部３０１ａを上下から挟む位置に、ベース３０１に幅方向に亘って、弧状のリブ３０４が後方に突出して形成されている。弧状のリブ３０４は第１ベース部３０１ａの周囲に沿うように形成されている。ベース３０１の両側端における第１ベース部３０１ａと第２ベース部３０１ｂとの境界には第１ベース部３０１ａに沿って切り込み３０５が形成されている。なお、リブ３０４及び切り込み３０５の機能については後述する。
【００４４】
証紙プレート２０１の取り付けは、まず、遊技盤８１の前面に証紙プレート２０１を配置する。この際、証紙プレート２０１の被支持部２０２が貫通孔８０１に挿入された状態にする。この状態で、支持部材３００を遊技盤８１の後面側から取り付ける。具体的には、支持部材３００の上下の係合部３０２を遊技盤８１の係合孔８０４へ挿入及び係合させ、支持部３０３を証紙プレート２０１の被支持部２０２に挿入及び係合させる。
【００４５】
なお、支持部材３００の上下の係合部３０２が遊技盤８１の係合孔８０４に挿入されるにあたって、係合部３０２の前部側は、後延部３０２ｂの前方側上方及び前方側下方を向いた面を係合孔８０４の後端の縁部により上下方向から押圧され、弾性変形をともないながら係合孔８０４の後部側に挿入される。係合部３０２がさらに挿入され、係合孔８０４の後部側より直径の大きい前部側まで挿入されると、係合部３０２は弾性変形から解放され初期状態に復帰する。係合孔８０４の前部側と後部側との境目には、係合孔８０４の前部側の直径を後部側より一段大きくしたことにより前向きの面８０５が形成されており（図７（ｃ）参照）、初期状態に復帰した係合部３０２の後延部３０２ｂの後端は、前向きの面８０５の前方に位置する。これにより、係合部３０２は引き抜くことが困難な状態で係合孔８０４に係合され、支持部材３００を遊技盤８１から後方に引き抜くことが抑制された状態となる。
【００４６】
また、支持部材３００の支持部３０３が証紙プレート２０１の被支持部２０２に挿入されるにあたって、支持部３０３の前部側は、後延部３０３ｂの前方側上方及び前方側下方を向いた面を被支持部２０２の係合片２０３により上下方向から押圧され、弾性変形をともないながら被支持部２０２に挿入される。支持部３０３がさらに挿入され、係合片２０３の押圧を受けない位置まで挿入されると、支持部３０３は弾性変形から解放され初期状態に復帰する。初期状態に復帰した支持部３０３の後延部３０３ｂの後端は、被支持部２０２内で係合片２０３の前方に位置する。これにより、支持部３０３は引き抜くことが困難な状態で被支持部２０２に係合され、証紙プレート２０１を支持部材３００から前方に引き抜くことが抑制された状態となる。
【００４７】
以上により、支持部材３００は遊技盤８１の後面に取り付けられ、証紙プレート２０１は遊技盤８１の前面で支持部材３００に支持された状態となる。
【００４８】
この状態において、支持部材３００のベース３０１はベース３０１とほぼ同一の大きさ及び形状の遊技盤８１の収容部８０７に嵌められているので、係合部３０２とベース３０１との間に刃物等の器具を侵入させる隙間がなく、係合部３０２がベース３０１から切り離されることを抑制することができる。
【００４９】
なお、上記取り付け方法の説明では、証紙プレート２０１を配置してから支持部材３００を証紙プレート２０１及び遊技盤８１に係合させる構成としたが、逆に、支持部材３００を遊技盤８１に係合させてから証紙プレート２０１を支持部材３００に係合させてもよい。
【００５０】
次に、証紙プレート２０１を遊技盤８１から取り外す方法について図８を参照しながら説明する。図８（ａ）は前方からみた証紙プレートを取り外した状態を示す一部断面斜視図、図８（ｂ）はその後方からみた一部断面斜視図、図８（ｃ）はその側方からみた一部断面図である。
【００５１】
証紙プレート２０１を遊技盤８１から取り外すにあたって、まず、刃物等で支持部材３００のベース３０１の切り込み３０５に刃を入れ、弧状のリブ３０４の内側に沿って切断する。上下のリブ３０４に沿って切断すると、支持部材３００は、支持部３０３及びそれが形成された第１ベース部３０１ａ（以下、切り離し部Ａという）と、係合部３０２及びそれが形成された第２ベース部３０１ｂ（以下、残留部Ｂという）とに切り離される。
【００５２】
支持部材３００が切り離し部Ａと残留部Ｂとに切り離されると、証紙プレート２０１は、切り離し部Ａとともに前方へ取り外すことが可能となる。この際、第１ベース部３０１ａは証紙プレート２０１に係合した状態で貫通孔８０１を通り抜けて前方へ取り出される。貫通孔８０１の内径は被支持部２０２の外径より十分に大きく形成されており、また、貫通孔８０１の下面は前部側が後部側より低く形成されているので、支持部材３００を切り離し部Ａと残留部Ｂとに切り離すと、証紙プレート２０１及び切り離し部Ａは遊技盤８１の前側下方に落下しやすくなる。
【００５３】
最後に、証紙プレート２０１から切り離し部Ａを取り外す。図９（ａ）乃至（ｃ）は証紙プレートから切り離し部を外す状態を示す一部断面斜視図である。証紙プレート２０１に対して切り離し部Ａを９０度回転させることにより、支持部３０３の後延部３０３ｂの後方に係合片２０３が存在しない状態にし（図９（ａ）→図９（ｂ））、切り離し部Ａを被支持部２０２から引き抜く（図９（ｂ）→図９（ｃ））。
【００５４】
これにより、証紙プレート２０１を傷つけずに取り外すことができる。なお、取り外した証紙プレート２０１は他の遊技台へ取り付けられる場合もある。
【００５５】
また、図８に示すように、遊技盤８１には残留部Ｂが固定されたままになっているため、他の支持部材を取り付けることを抑制することができ、ひいては証紙プレート２０１を再度取り付けることを困難にすることができる。
【００５６】
また、切り離し部Ａが切り離された状態で残留部Ｂが遊技盤８１に残っているということは証紙プレート２０１が外された痕跡があるということでもあり、証紙プレート２０１が外されたことがあることを容易に認識することができる。
【００５７】
また、残留部Ｂを外す方法として、遊技盤８１の薄板部８０３を破損させて、係合部３０２の係合を解いて、遊技盤８１の後方に押し出すことも想定される。しかし、遊技盤８１の薄板部８０３は証紙プレート２０１が取り付けられる領域よりも上方及び下方に形成されているため、薄板部８０３の破損状態が再度証紙プレート２０１を取り付けたとしても隠蔽することができず、残留部Ｂが取り外された痕跡を容易に発見することができる。
【００５８】
以上詳述した本実施形態によれば、以下の優れた効果を奏する。
【００５９】
支持部材３００の係合部３０２を遊技盤８１の係合孔８０４に係合し、支持部材３００の支持部３０３を証紙プレート２０１の被支持部２０２に係合させると、証紙プレート２０１を遊技盤８１に固定することができるので、証紙プレート２０１の設置作業性の向上に貢献できる。
【００６０】
また、証紙プレート２０１を取り外した場合は、残留部Ｂが遊技盤に残るので、新たな支持部材３００を利用しての証紙プレート２０１の取り付けが困難であり、証紙プレート２０１を不正に付け替える等の不正を抑止することができる。
【００６１】
また、証紙プレート２０１を取り外した場合は残留部Ｂが遊技盤８１に残るので、残留部Ｂを確認することによって、証紙プレート２０１が取り外されたという痕跡を容易に発見することができる。
【００６２】
また、残留部Ｂを外すにあたって遊技盤８１の薄板部８０３を破損させると、遊技盤８１の薄板部８０３は証紙プレート２０１の取り付け領域以外にあるため、薄板部８０３の破損状態を証紙プレート２０１が取り付けられた状態でも隠蔽することができず、残留部Ｂが取り外された痕跡を発見容易な状態で残させることができる。
【００６３】
また、支持部材３００のベース３０１は、ベース３０１とほぼ同一の大きさ及び形状の遊技盤８１の収容部８０７に嵌められているので、係合部３０２とベース３０１との間に刃物等の器具を侵入させる隙間がなく、係合部３０２をベース３０１から切り離すことを抑制することができる。
【００６４】
証紙プレート２０１を取り外す場合は、切り込み３０５に刃物等の刃を入り込ませてリブ３０４に沿って切断していくので、的確な位置を切断することができ、証紙プレートの破損や刃物による怪我等の不都合な事態が生じる可能性を減じることができる。
【００６５】
ベース３０１の後面はリブ３０４を備えており面一ではないので、粘着テープ等を張ることが難しく、切り離し部Ａと残留部Ｂを切り離した後に、再度一体化させて他の証紙プレート２０１を不正に取り付けることを困難にしている。
【００６６】
貫通孔８０１の下面の前方側が一段低く形成されており、かつ貫通孔８０１の内径は被支持部２０２の外径に対して十分大きく形成されているので、貫通孔８０１に被支持部２０２が挿入されただけで支持部３０３に支持されていない状態では、証紙プレート２０１は遊技盤８１の前側下方に落下しやすい。よって、支持部材３００を使用せずに、証紙プレート２０１を遊技盤８１に不正に取り付けることを困難にしている。
【００６７】
切り離し部Ａを証紙プレート２０１の被支持部２０２から引き抜く際は、切り離し部Ａの係合部３０２を被支持部２０２の係合片２０３から回避させることができるので、係合片２０３を損傷させることなどなく、証紙プレート２０１の耐久性の向上に貢献できる。
【００６８】
なお、上述した実施形態の記載内容に限定されず例えば次のように実施してもよい。ちなみに、以下の各構成を単独で上記実施形態の構成に適用してもよく、所定の組み合わせで上記実施形態の構成に適用してもよい。
【００６９】
（１）上記実施形態では、回転抑止部８０８を遊技盤に設けて、証紙プレート２０１の支持部材３００に対する回転を抑止する構成としたが、これに限定されるものではない。証紙プレート２０１が支持部材３００により引っ張られ、遊技盤８１に押し付けられることにより、その回転が十分に抑制されていれば、回転抑止部８０８を設けなくてもよい。
【００７０】
（２）上記実施形態では、回転抑止部８０８は左右方向に伸びた形状としたが、証紙プレート２０１の回転を抑止できるのであれば、どのような形状でもよい。例えば、遊技盤８１前面の証紙プレート２０１が取り付けられる領域を一段凹ませて証紙プレート２０１のスカート部２０１ｂの後部が嵌まるようにしてもよい。
【００７１】
（３）上記実施形態では、支持部材３００の係合部３０２は支持部３０３を挟んで上下に設ける構成としたが、支持部３０３の上方又は下方だけに設ける構成や、左右に設ける構成、支持部３０３を中心にして三方に設ける構成等を採用してもよい。
【００７２】
（４）上記実施形態では、証紙プレート２０１に被支持部２０２を設け支持部材３００に支持部３０３を設ける構成としたが、これらを入れ替えて、証紙プレート２０１に支持部を設け支持部材３００に被支持部を設ける構成としてもよい。
【００７３】
（５）上記実施形態では、貫通孔８０１の下面は前部側が一段下がった形状としたが、貫通孔８０１の下面が後部側から前部側にかけて下方に傾斜している形状としてもよい。
【００７４】
（６）上記実施形態では、薄板部８０３を破損させることにより、係合部３０２を露出させる構成としたが、薄板部８０３を透明樹脂シート等で透明に形成し、係合部３０２が遊技盤８１の前方から確認できるようにしてもよい。これにより、残留部Ｂまたは支持部材３００が遊技盤８１に取り付けられているか否かを容易に確認することができる。
【００７５】
（７）上記実施形態では、証紙プレート２０１の材質については言及しなかったが、証紙プレート２０１を合成樹脂等により透明に形成し、被支持部２０２や貫通孔８０１、支持部３０３を証紙プレート２０１の外側から確認できるようにしてもよい。これにより、証紙プレート２０１の不正な取り付け状態（証紙プレート２０１を支持部材３００で支持させずに単に遊技盤８１の前面に接着剤で張り付けた状態等）をいち早く発見することができる。
【００７６】
（８）上記実施形態では、第１ベース部３０１ａと第２ベース部３０１ｂとを刃物等の器具により切り離す構成としたが、これを変更し、証紙プレート２０１を前方に引っ張ったり、証紙プレートを前方に若干引っ張った状態で回転させたりすることにより、破断する破断部を、第１ベース部３０１ａと第２ベース部３０１ｂとの境界部分に設けてもよい。
【００７７】
＜第２の実施形態＞
本実施形態では、証紙プレートの形状、および遊技盤８１への証紙プレートの取り付け態様が、上記第１の実施形態と異なっている。図１０は本実施形態における後方からみた証紙プレートの組み付け斜視図、図１１は後方からみた証紙プレートを取り付けられた状態を示す斜視図、図１２は証紙プレートの係合状態を示す平面断面図である。
【００７８】
遊技盤８１には、左右に対となる係合空間３１０が形成されており、証紙プレート３０８の後面の左右から後方に延ばして形成された係合部３０９は、各々対応した係合空間３１０に挿入された状態で固定部材３２１に固定されている。固定部材３２１は左右の係合空間３１０に１つずつ挿入されている。これらの固定部材３２１が挿入された係合空間３１０の後方の開口部を覆うようにして、カバー部材３３１が遊技盤８１の後面に取り付けられている。
【００７９】
以下、本実施形態の説明では、一方の係合空間３１０における他方の係合空間３１０側（例えば、右側の係合空間３１０においては左側）を近端側と表現し、その反対側（例えば、右側の係合空間３１０においては右側）を遠端側と表現する。
【００８０】
遊技盤８１内に形成された係合空間３１０は、遊技盤８１の後面に横長に開口された開口部に連通する横長空間３１１と、横長空間３１１の近端側から前方に延ばして遊技盤８１前面を開口して形成された貫通空間３１２と、貫通空間３１２より遠端側の横長空間３１１から前方に延ばして前方に薄板部３１６（図１２参照）を残した状態で前部を近端側に曲げて形成された曲折空間３１３と、を有する。貫通空間３１２及び曲折空間３１３は横長空間３１１に連通している。薄板部３１６は左右方向において証紙プレート３０８の取り付け領域より外側（遠端側）に形成されている。なお、薄板部３１６は遊技盤８１の合板部分を薄く残して形成してもよいし、化粧部材のみから形成してもよい。
【００８１】
図１２に示すように、証紙プレート３０８の係合部３０９は貫通空間３１２に挿入されて、貫通空間３１２に隣接する後向きの面３１４に係合されている。後向きの面３１４に係合されている係合部３０９の近端側には、固定部材３２１の抑制部３２３が挿入されており、証紙プレート２０１の係合部３０９が近端側（係合が解除される方向）に移動するのを抑制している。
【００８２】
固定部材３２１の抑制部３２３は、横長空間３１１に収容された横長のベース３２２の近端側端部を前方に曲げて形成されている。ベース３２２の前面の中程には前方に延ばして形成された固定部材側係合部３２４が形成されている。固定部材側係合部３２４は、曲折空間に挿入されて前向きの面３１５に係合されている。
【００８３】
固定部材３２１が収容された状態の左右の係合空間３１０を後方から覆うようにしてカバー部材３３１のカバー部３３２が遊技盤８１の後面に固定されている。カバー部３３２の前面における左右には押さえ部３３３が各々前方に突出させて形成されている。
【００８４】
カバー部材３３１の押さえ部３３３は、係合空間３１０の横長空間３１１の遠端側隅部に収容されるとともに、前方に収容されている固定部材３２１のベース３２２の遠端側端部の後面に当接している。
【００８５】
前述のように、証紙プレート３０８の係合部３０９は、後向きの面３１４に係合されており、かつ固定部材３２１の抑制部３２３により係合が解除される方向（近端側）への移動が抑制されている。よって、固定部材３２１の抑制部３２３が後方へ移動すれば、係合部３０９は係合が解除される方向（近端側）へ移動することが可能になる。しかし、固定部材３２１は固定部材側係合部３２４が前向きの面３１５に係合されているため、抑制部３２３を後方へ移動させることができない。よって、証紙プレート３０８の係合部３０９と後向きの面３１４との係合を解除すること、すなわち証紙プレート３０８を遊技盤８１から取り外すことは困難な状態である。
【００８６】
次に、証紙プレート３０８の取り付け方法について説明する。まず、遊技盤８１の前方から貫通空間３１２に、証紙プレート３０８の左右の係合部３０９を挿入して後向きの面３１４に係合させる。
【００８７】
次いで、固定部材３２１を係合空間３１０に収容させる。具体的には、抑制部３２３を係合部３０９の近端側に挿入し、固定部材側係合部３２４を曲折空間３１３に挿入して前向きの面３１５に係合させ、ベース３２２を横長空間３１１に収容させる。
【００８８】
最後に、押さえ部３３３が固定部材３２１の後面の遠端側端部の後方に位置し、カバー部３３２が左右の係合空間３１０の後部の開口部を覆うように、カバー部材３３１を遊技盤８１後面に固定する。
【００８９】
これにより、証紙プレート３０８は取り外すことが困難な状態で遊技盤８１の前面に固定される。
【００９０】
次に、証紙プレート３０８の取り外し方法について説明する。
【００９１】
まず、薄板部３１６を破損させて、固定部材３２１の固定部材側係合部３２４を遊技盤８１前面側から触れることが可能な状態にする。
【００９２】
次いで、固定部材３２１の固定部材側係合部３２４を遠端側（前向きの面３１５との係合が解除される方向）に移動させ、前向きの面３１５との係合を解除する。この係合を解除させた状態のまま、固定部材側係合部３２４を後方へ押し込む。これにより、固定部材３２１は押さえ部３３３側（遠端側）を基端として抑制部３２３側（近端側）が後方へ移動する。抑制部３２３が後方へ移動することにより、証紙プレート３０８の係合部３０９が近端側（後向きの面３１４との係合が解除される方向）に移動できる空間が確保される。
【００９３】
最後に、証紙プレート３０８を前方に引っ張る。この際、係合部３０９は近端側（後向きの面３１４との係合が解除される方向）へ弾性変形をともなって移動し前向きの面３１４との係合が解除され、証紙プレート３０８を遊技盤８１から取り外すことができる。
【００９４】
以上詳述した本実施形態によれば、以下の優れた効果を奏する。
【００９５】
証紙プレート３０８の係合部３０９を貫通空間３１２に挿入し、固定部材３２１を係合空間３１０に収容し、カバー部材３３１を遊技盤８１の後面に固定すると、証紙プレート３０８を遊技盤８１へ取り外し困難な状態で固定することができるので、証紙プレート３０８の設置作業性の向上に貢献できる。
【００９６】
証紙プレート３０８を取り外すには薄板部３１６を破損させる必要があるが、薄板部３１６の位置が遊技盤８１前面から見て分かるように構成していない場合（薄板部３１６の位置を示す印刷やシールが張られる等していない場合）は、薄板部３１６の位置を予め知っている者以外は証紙プレート３０８を取り外すことが極めて困難である。よって、不正に証紙プレート３０８が外される等の不都合が生じる可能性を減じることができる。
【００９７】
また、たとえ薄板部３１６の位置が分かったとしても、薄板部３１６を破損すること、及び固定部材側係合部３２４を遠端側に移動させることを知っておく必要がある。よって、不正に証紙プレート３０８が外される等の不都合が生じる可能性をさらに減じることができる。
【００９８】
証紙プレート３０８を取り外した場合は薄板部３１６が破損される。よって、薄板部３１６が破損されていること確認することにより、証紙プレート３０８が外されたことがあることを容易に発見することができる。
【００９９】
また、遊技盤８１の薄板部３１６を破損させると、遊技盤８１の薄板部３１６は証紙プレート３０８の取り付け領域外にあるため、薄板部３１６の破損状態は再度証紙プレート３０８を取り付けたとしても隠蔽することができず、証紙プレート３０８が取り外された痕跡を発見容易な状態で残させることができる。
【０１００】
なお、上述した実施形態の記載内容に限定されず例えば次のように実施してもよい。ちなみに、以下の各構成を単独で上記実施形態の構成に適用してもよく、所定の組み合わせで上記実施形態の構成に適用してもよい。また、以下の各構成を、その構成の適用対象として例示していない実施形態に適用してもよい。
【０１０１】
（１）上記実施形態では、カバー部材３３１の固定方法については言及しなかったが、強力な接着剤等での接着や、破断ネジ等で螺合させる方法等が採用される。
【０１０２】
（２）上記実施形態では、薄板部３１６を破損させることにより、固定部材側係合部３２４を露出させる構成としたが、薄板部３１６を透明樹脂シート等で透明に形成し、固定部材側係合部３２４が遊技盤８１の前方から確認できるようにしてもよい。これにより、固定部材３２１が遊技盤８１に取り付けられているか否かを容易に確認することができる。
【０１０３】
（３）上記実施形態では、証紙プレート３０８の材質については言及しなかったが、証紙プレート３０８を透明の合成樹脂等により透明に形成し、係合部３０９や貫通空間３１２を証紙プレート３０８の外側から確認できるようにしてもよい。これにより、証紙プレートの不正な取り付け状態（係合部３０９が貫通空間３１２に挿入されずに、証紙プレートが単に遊技盤８１の前面に接着剤で張り付けられた状態等）をいち早く発見することができる。
【０１０４】
＜第３の実施形態＞
本実施形態では、遊技盤８１への証紙プレートの取り付け態様等が上記第１の実施形態と異なっている。図１３は本実施形態における後方からみた証紙プレートの組み付け斜視図、図１４は証紙プレートが取り付けられた状態を示す側面断面図である。
【０１０５】
遊技盤８１には、後面から前方に薄板部４２２を残して収容部４２１が形成されており、薄板部４２２のほぼ中央部は前後に貫通された貫通孔４２３が形成されている。薄板部４２２は遊技盤８１の合板部分を薄く残して形成してもよいし、化粧部材のみから形成してもよい。
【０１０６】
支持部材４１１は、板状のベース４１２と、ベース４１２の前面のほぼ中央に形成され上下方向に弾性変形可能な支持部４１３と、を有している。支持部材４１１は、ベース４１２を収容部４２１に収容させ、支持部４１３を遊技盤８１の貫通孔４２３に挿入させることにより、遊技盤８１に配設される。ベース４１２と収容部４２１とは、背面視でほぼ同一の大きさ及び形状をしており、それらの左右方向の長さは証紙プレート４０１のその長さより大きく形成されている。なお、ほぼ同一の大きさ及び形状としては、ベース４１２が収容部４２１に収容されることが可能で、後面視でベース４１２の面積が収容部４２１の面積の８〜１０割になるような大きさ及び形状が好ましい。
【０１０７】
遊技盤８１の貫通孔４２３に挿入される支持部材４１１の支持部４１３は、証紙プレート４０１の被支持部４０２に挿入される。被支持部４０２は、証紙プレート２０１の後面から後方に延ばして円筒状に形成されており、内周面の上下に支持部材４１１の支持部４１３に係合する係合片４０３が形成されている。支持部材４１１の支持部４１３を証紙プレート４０１の被支持部４０２に挿入させて係合片４０３に係合させることにより、証紙プレート４０１が遊技盤８１の前面の位置で支持される。なお、被支持部４０２と支持部４１３の係合の態様は、第１の実施形態における被支持部２０２と支持部３０３の係合の態様と同様である（図７（ｃ）参照）。
【０１０８】
遊技盤８１の前面に固定された証紙プレート４０１を取り外す場合は、証紙プレート４０１を遊技盤８１の前方に引っ張る。この場合、被支持部４０２と支持部４１３は係合しているので、支持部材４１１にも前方への力が作用する。支持部材４１１に作用する前方への力が一定以上に達すると、ベース４１２により薄板部４２２が破損され、証紙プレート４０１と支持部材４１１とが一体となって前方へ取り外される。ベース４１２により薄板部４２２を破損させる必要があるため、ベース４１２は鋼板等の強度の高いものが好ましいが、その材質は薄板部４２２の強度との関係に応じて適宜選択される。
【０１０９】
証紙プレート４０１から支持部材４１１を取り外す場合は、証紙プレート４０１を支持部材４１１に対して９０度回転させる。これにより、係合片４０３の前方に支持部４１３が存在しない状態となり、その状態のまま取り外すことができる。証紙プレート４０１から支持部材４１１を取り外す態様は、第１の実施形態における証紙プレート２０１から切り離し部Ａを取り外す態様と同様である。
【０１１０】
以上詳述した本実施形態によれば、以下の優れた効果を奏する。
【０１１１】
薄板部４２２に形成された貫通孔４２３を介して、証紙プレート４０１の被支持部４０２と支持部材４１１の支持部４１３とを係合させると、証紙プレート４０１を遊技盤８１へ固定することができるので、証紙プレート４０１の設置作業性の向上に貢献できる。
【０１１２】
ベース４１２は、ベース４１２と背面視でほぼ同一の大きさ及び形状の収容部４２１に収容されているので、ベース４１２と薄板部４２２との間に刃物等の器具を侵入させる隙間がなく、ベース４１２から支持部４１３を切り離すことを抑制することができる。
【０１１３】
証紙プレート４０１を取り外すことにより薄板部４２２が破損される。すなわち、薄板部４２２の破損をもって証紙プレート４０１が取り外された痕跡があると判断することができる。よって、この痕跡のある遊技盤を探すことにより、証紙プレート４０１が取り外された不正改造の可能性が高い遊技機をいち早く発見することができる。
【０１１４】
薄板部４２２及びベース４１２の左右方向の長さは証紙プレート４０１の左右方向の長さより大きく形成されているので、証紙プレート４０１を取り外す際に証紙プレート４０１の左右方向の長さより長い範囲の薄板部４２２が破損される。よって、証紙プレート４０１を取り外した後に、別の証紙プレート４０１を取り付けたとしても薄板部４２２の破損状態を隠蔽することができず、証紙プレート４０１が取り外された痕跡を発見容易な状態で残させることができる。
【０１１５】
支持部材４１１を証紙プレート４０１の被支持部４０２から引き抜く際は、支持部材４１１の支持部４１３を被支持部４０２の係合片４０３から回避させることができるので、係合片４０３を損傷させることなどなく、証紙プレート４０１の耐久性の向上に貢献できる。
【０１１６】
なお、上述した実施形態の記載内容に限定されず例えば次のように実施してもよい。ちなみに、以下の各構成を単独で上記実施形態の構成に適用してもよく、所定の組み合わせで上記実施形態の構成に適用してもよい。また、以下の各構成を、その構成の適用対象として例示していない実施形態に適用してもよい。
【０１１７】
（１）上記実施形態では、薄板部４２２は証紙プレート４０１の取り付け領域より左右方向に長い構成としたが、これに限定されるものではない。例えば、薄板部４２２が証紙プレート４０１の取り付け領域より上下方向に長い構成にしてもよいし、全方向のうちのいずれか一又は複数方向に当該取り付け領域から突出した構成としてもよい。また薄板部４２２の領域に証紙プレート４０１の取り付け領域が完全に含まれるようにして、当該薄板部４２２をベース４１２によって破損させるように構成してもよい。この場合は、証紙プレート４０１を取り外した後は、証紙プレートを取り付ける領域がなくなるので、証紙プレートを不正に取り付けることをさらに抑止することができる。
【０１１８】
（２）上記実施形態では、証紙プレート４０１を遊技盤８１に取り付けた状態における、支持部材４１１に対する証紙プレート４０１の回転については言及しなかったが、第１の実施形態と同様に回転抑止部８０８を設けることが好ましい。
【０１１９】
（３）ベース４１２は刃物等の器具による切断が困難である鋼板等により形成すると、薄板部４２２が破損されないまま遊技盤８１の後面側から支持部材４１１を破壊して証紙プレート４０１が不正に取り外されること可能性を減じることができる。
【０１２０】
（４）ベース４１２を鋼板等で形成することにより、証紙プレート４０１を取り外す際に薄板部４２２をより確実に破損させる可能性を向上させることができる。
【０１２１】
（５）また、（３）と同様の目的で、支持部材４１１の後方側の収容部４２１の開口部を板状の部材により覆ってもよい。
【０１２２】
（６）また、薄板部８０３を透明樹脂シート等で透明に形成し、支持部材４１１が遊技盤８１の前方から確認できるようにしてもよい。これにより、支持部材４１１が遊技盤８１に取り付けられているか否かを容易に確認することができる。
【０１２３】
（７）また、証紙プレート４０１を合成樹脂等により透明に形成し、被支持部４０２や支持部４１３を証紙プレート４０１の外側から確認できるようにしてもよい。これにより、証紙プレート４０１の不正な取り付け状態（証紙プレート４０１を支持部材４１１で支持させずに単に遊技盤８１の前面に接着剤で張り付けた状態等）をいち早く発見することができる。
【０１２４】
＜第４の実施形態＞
本実施形態では、証紙プレートの形状、および遊技盤８１への証紙プレートの取り付け態様が、上記第１の実施形態と異なっている。図１５（ａ）は証紙プレートが遊技盤に取り付けられた状態を示す正面図、図１５（ｂ）はそのＣ−Ｃ線分部における断面図である。
【０１２５】
遊技盤８１は、裏面に絵柄が印刷された透明樹脂シートに裏打材として紙基材が貼着された化粧部材９０２と、化粧部材９０２が貼着された合板９０１と、を有する。また、証紙５０２が貼付された証紙プレート５０１は、正面視で左右に突出させて形成された左側取り付け片５０３，右側取り付け片５０４を有している。
【０１２６】
証紙プレート５０１の左右の取り付け片５０３，５０４にはネジ孔５０３ａ，５０４ａが形成されており、ネジ孔５０３ａにネジ５０５を通し、ネジ孔５０４ａに破断ネジ５０６を通して遊技盤８１に固定されている。詳しくは、正面視で左側の左側取り付け片５０３は、そのネジ孔５０３ａにネジ５０５を通して合板９０１に螺合させることにより、遊技盤８１に固定されている。一方、正面視で右側の右側取り付け片５０４は、そのネジ孔５０４ａに破断ネジ５０６を通して合板９０１の収容穴９０３に収容された六角ナット５０７に螺合させることにより、遊技盤８１に固定されている。
【０１２７】
六角ナット５０７が収容された収容穴９０３は、ルータ加工等により合板９０１の前面側から切削することにより、六角形の穴状に形成されている。収容穴９０３の内周は、六角ナット５０７の外周とほぼ同一の形状及び大きさを有しており、六角ナット５０７は収容穴９０３内で回転することが出来ないように構成されている。
【０１２８】
収容穴９０３の前方は合板９０１に貼着された化粧部材９０２により塞がれており、破断ネジ５０６は化粧部材９０２を貫通して六角ナット５０７に螺合されている。
【０１２９】
なお、破断ネジ５０６は、螺合対象に螺合した後にドライバー等の器具が嵌る頭部が破断するネジである。当該頭部が破断した破断ネジ５０６を特殊な器具なしに回転させることは困難である。つまり、破断ネジ５０６を螺合対象（ここでは、六角ナット５０７）に螺合させて頭部を破断させると、当該螺合を解除することは難しい。
【０１３０】
遊技盤８１の製造工程において、化粧部材９０２が合板９０１に貼着される前に、六角ナット５０７は収容穴９０３に収容され、その後に合板９０１に化粧部材９０２が貼着される。その後、証紙プレート５０１を取り付ける際に六角ナット５０７に破断ネジ５０６が螺合される。六角ナット５０７は収容穴９０３内で回転することが出来ないので、破断ネジ５０６に螺合されるにともなって、図１５（ｂ）の拡大図に示すように矢印Ｄ方向に移動する。当該螺合が完了した状態で、収容穴９０３の前方に位置する化粧部材９０２は証紙プレート５０１の右側取り付け片５０４と六角ナット５０７の前面との間に挟まれた状態となる。
【０１３１】
化粧部材９０２の、証紙プレート５０１の右側取り付け片５０４が取り付けられる部分から正面視で右側は、剥離部９０２ａが形成されている。剥離部９０２ａは、化粧部材９０２の他の部分よりも弱い接着力で合板９０１に貼着されている。具体的には、一面に接着剤を塗布するのではなく点状や線状に部分的に接着剤が塗布されている。また、剥離部９０２ａの右側端部以外の周縁部９０２ｂ（正面視で上辺部、下辺部、左辺部）は断続的に切断されており、化粧部材９０２から剥離部９０２ａが分離しやすいように構成されている。
【０１３２】
証紙プレート５０１を遊技盤８１から取り外す際は、左側取り付け片５０３側のネジ５０５を取り外す。一方、右側取り付け片５０４側の破断ネジ５０６は前述のとおり取り外すことが困難である。よって、証紙プレート５０１は、破断ネジ５０６が六角ナット５０７に螺合された状態で、前方に引っ張って取り外す。この際、剥離部９０２ａの左端部は、右側取り付け片５０４と六角ナット５０７との間に挟まれているので、前方に引っ張られる。これにともない、剥離部９０２ａの周縁部９０２ｂが切断されるとともに剥離部９０２ａが合板９０１から剥離する。剥離部９０２ａは引っ張られながら剥離されるため、剥離部９０２ａは変形して皺が形成された状態となる。また、剥離部９０２ａに絵柄が印刷されている場合は、その絵柄は歪んだ状態となる。
【０１３３】
六角ナット５０７に触れることができる程度に証紙プレート５０１を前方に引っ張り出したら、六角レンチ等で六角ナット５０７を破断ネジ５０６から外し、証紙プレート５０１から剥離部９０２ａを取り外す。
【０１３４】
以上詳述した本実施形態によれば、以下の優れた効果を奏する。
【０１３５】
証紙プレート５０１を取り外すことにより、剥離部９０２ａが剥離した状態となり、当該状態を確認することにより、証紙プレート５０１が以前に外されたことを認識することができる。
【０１３６】
また、剥離部９０２ａは、証紙プレート５０１を取り付ける領域の外側にあるので、再度証紙プレート５０１を取り付けたとしても剥離部９０２ａを隠すことができず、剥離部９０２ａが剥がされた状態の発見が容易になる。
【０１３７】
また、一度剥離した剥離部９０２ａを再度合板９０１に接着したとしても、剥離される際に剥離部９０２ａが変形して伸びる等することによって形成された皺や絵柄の歪みを確認することにより、証紙プレート５０１が以前に外されたことを認識することができる。
【０１３８】
証紙プレート５０１は、左右の取り付け片５０３，５０４をネジ５０５，破断ネジ５０６で遊技盤８１に取り付けられるので取り付け作業が容易である。また、破断ネジ５０６を用いているので、不正に破断ネジ５０６と六角ナット５０７との螺合を解除してから証紙プレート５０１を取り外すという不都合が生じることを抑止できる。
【０１３９】
なお、上述した実施形態の記載内容に限定されず例えば次のように実施してもよい。ちなみに、以下の各構成を単独で上記実施形態の構成に適用してもよく、所定の組み合わせで上記実施形態の構成に適用してもよい。また、以下の各構成を、その構成の適用対象として例示していない実施形態に適用してもよい。
【０１４０】
（１）上記実施形態では、証紙プレート５０１を取り外す際は化粧部材９０２の一部である剥離部９０２ａ（透明樹脂シート及び紙基材）が剥離される構成としたが、化粧部材９０２を構成する透明樹脂シートの一部が剥離される構成としてもよい。この場合は、紙基材は合板９０１に貼着されたままであり透明樹脂シートが紙基材から剥離される構成となる。
【０１４１】
（２）上記実施形態では、化粧部材９０２は、裏面に絵柄が印刷された透明樹脂シートに裏打材として紙基材が貼着された構成としたが、これに限定されるものではない。例えば、紙基材に絵柄を印刷した後、その印刷面に透明樹脂シートを貼着した化粧部材を採用してもよい。この場合、透明樹脂シートのみが剥離されるように構成することにより、剥離時に紙基材の表面側の印刷が剥がれた状態となるので、当該状態を確認することにより、証紙プレート５０１が以前に取り外されたことを認識することが容易である。
【０１４２】
（３）上記実施形態では、左右の取り付け片５０３，５０４はネジ５０５，破断ネジ５０６によって遊技盤８１に固定される構成としたが、どちらか一方又は両方の取り付け片をこれらのネジは利用せずに遊技盤８１に接着する構成としてもよい。この場合、証紙プレート５０１を取り外す際に右側取り付け片５０４が剥離部９０２ａから外れて剥離部９０２ａが剥離されないことが想定される。故に、上記実施形態に示すように、右側取り付け片５０４は破断ネジ５０６及び六角ナット５０７により剥離部９０２ａに固定された構成とすることが好ましい。
【０１４３】
（４）上記実施形態では、剥離部９０２ａの周縁部９０２ｂは断続的に切断された構成としたが、完全に切断された構成としてもよいし、切断箇所のない構成としてもよい。切断箇所の要否や数、長さ等は、剥離部９０２ａの合板９０１に対する接着力や剥離部９０２ａの引っ張り強度に応じて、適宜選択可能である。
【０１４４】
（５）上記実施形態では、収容穴９０３は、内周が六角ナット５０７の外周と同一の形状及び大きさである構成としたが、六角ナット５０７が収容穴９０３内で回転することを抑止できるのであれば、これに限定されるものではない。例えば、六角ナット５０７の外面のうち２以上の面に当接する内面を有する構成が用いられる。
【０１４５】
なお、上述した第１乃至第４実施形態の記載内容に限定されず例えば次のように実施してもよい。ちなみに、以下の各構成を単独で上記実施形態の構成に適用してもよく、所定の組み合わせで上記実施形態の構成に適用してもよい。
（１）上記実施形態では証紙プレートを遊技盤８１に取り付ける構成としたが、これに限定されず、前扉枠や本体枠等の遊技機を構成するものであれば、どの部品に取り付けてもよい。
（２）上記実施形態では証紙プレートをパチンコ機１０に取り付ける構成としたが、これに限定されず、その他のパチンコ遊技機やスロットマシン等の回胴式遊技機の遊技部品に取り付けることも可能である。
【０１４６】
＜上記各実施形態から抽出される発明群について＞
以下、上述した各実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。
【０１４７】
特徴Ａ１．固有の識別情報を有する識別部材（証紙プレート３０８、証紙プレート４０１、証紙プレート５０１）と、前記識別部材が取り付けられた被取り付け部品（遊技盤８１）と、を有する遊技機（パチンコ機１０）であって、
前記被取り付け部品は外部から視認可能である痕跡形成部（薄板部３１６、薄板部４２２の証紙プレート４０１の取り付け領域外に対応する部分、剥離部９０２ａ）を備え、前記識別部材が取り外された場合に前記痕跡形成部に痕跡が残ることを特徴とする遊技機。
【０１４８】
ここで、識別情報が付された被取り付け部品がＲＯＭ交換等の不正行為の対象となる場合がある。例えば、リサイクル性の観点から遊技盤（被取り付け部品）を交換することにより機種変更を行う遊技機において、識別情報が付された遊技盤が不正行為の対象となる場合がある。この場合、遊技場に設置されている遊技機の遊技盤に対して不正行為を行おうとする者は、中古品の遊技盤を入手して規格外の仕様に不正改造し、不正改造した中古遊技盤を遊技場に設置されている遊技機の正規の遊技盤と摩り替えるとともに、識別情報が付された部材を正規の遊技盤から取り外して不正改造した中古遊技盤に取り付ける場合がある。このような場合は、遊技場で管理されている識別情報が不正改造された中古遊技盤に取り付けられていることになり、遊技場で遊技盤の摩り替えの発見が遅れてしまうということが推測され、遊技場が不利益を被るとともに識別情報の管理が煩雑になり不都合が生じる。
【０１４９】
これに対し、特徴Ａ１の遊技機では、識別部材を取り外した場合に被取り付け部品の痕跡形成部に痕跡が残るので、その痕跡を確認することにより識別部材を取り外したことがあることが認識できる。
【０１５０】
通常、識別部材が一度外された遊技機は遊技場で使用されることはなく、上記痕跡のある遊技機は上記のような不正な改造がなされて識別部材を付け替えられている可能性がある。上記痕跡を見つけることにより、識別部材が一度外された遊技機をいち早く発見することができ、不正による被害等を減じることができる。
【０１５１】
また、上記痕跡が形成される痕跡形成部は、被取り付け部品の外部から視認可能であるので、識別部材を不正に取り付けることができたとしても、その識別部材によって上記痕跡を隠蔽することができず、上記痕跡を発見容易な状態で残すことができる。
【０１５２】
上記被取り付け部品としては、遊技機から取り外せるものであればよい。例えば、制御基板が取り付けられた遊技盤や本体枠、前扉枠等がある。
【０１５３】
上記痕跡としては、識別部材を取り外す前後で被取り付け部品の一部が変化するものであればよい。
【０１５４】
「識別部材が取り外された場合に前記痕跡形成部に痕跡が残る」とは、識別部材を取り外すことに連係して被取り付け部品の一部に痕跡が残る場合も、被取り付け部品の一部を意図的に変化させることにより痕跡が残り、識別部材を外すことが可能になる場合も含まれる。
【０１５５】
なお、識別部材としては、遊技機の製造番号、企業名、製造年度、所定の遊技機管理団体の検査を受けたことを示す情報、前記管理団体が付した管理番号、遊技機の機種番号、これらをコード化した光学的に読取可能な情報のいずれかが記載された部材、及びこれらのいずれかが電子化されて記憶された媒体（ＩＣチップ等）を有する部材等が採用される。
【０１５６】
特徴Ａ２．前記被取り付け部品から前記識別部材を取り外した場合に前記痕跡形成部が破損することにより前記痕跡が残ることを特徴とする特徴Ａ１に記載の遊技機。
【０１５７】
特徴Ａ２によれば、識別部材を取り外した場合に被取り付け部品が破損するので、その破損した部分を確認することにより識別部材を取り外したことがあることが認識できる。被取り付け部品の一部が破損された遊技機は通常の遊技機と比較して異常な態様に見えることが想定されるので、遊技者からの通報も期待でき、不正に取り付けられた識別部材を容易に発見することができる。痕跡形成部は、破断容易に形成されていることが好ましく、薄板状に形成された構成や、周囲が断続的に切断（いわゆるミシン目）されている構成等が用いられる。痕跡形成部が破損することにより痕跡が残るので、痕跡形成部は破損部（破断部）と捉えることもできる。
【０１５８】
特徴Ａ３．前記痕跡の少なくとも一部は、前記被取り付け部品が前記遊技機から取り外された状態で視認可能であることを特徴とする特徴Ａ１又はＡ２に記載の遊技機。
【０１５９】
特徴Ａ３によれば、遊技機のメンテナンス時等に被取り付け部品を遊技機から取り外した場合に痕跡を発見することができ、識別部材が取り外されたことがあることを認識することができる。被取り付け部品を遊技機から取り外した場合に痕跡を発見することができればいいので、痕跡を遊技機の外側から確認できるようにする必要がなく、遊技機外観の設計における自由度向上に貢献できる。
【０１６０】
特徴Ａ４．前記識別部材（証紙プレート４０１）は支持部材（支持部材４１１）により前記被取り付け部品に取り付けられており、
前記識別部材が前記被取り付け部品から取り外される場合に、前記支持部材により前記被取り付け部品が破損させられることを特徴とする特徴Ａ２又はＡ３に記載の遊技機。
【０１６１】
特徴Ａ４によれば、支持部材が被取り付け部品を破損させるのであって識別部材が破損させるわけではないので、識別部材を被取り付け部品に当接させて被取り付け部品を破損させる等する必要がなく、識別部材の耐久性の向上に貢献できる。
【０１６２】
なお、識別部材は再利用されることがあるので、識別部材の耐久性が向上することは好ましいことである。
【０１６３】
特徴Ａ５．前記識別部材と前記支持部材とが連結されている状態において、前記支持部材の少なくとも一部が前記被取り付け部品と対向する方向とは異なる方向への前記識別部材又は前記支持部材の移動を制限する移動制限手段を備えていることを特徴とする特徴Ａ４に記載の遊技機。
【０１６４】
特徴Ａ５によれば、支持部材の少なくとも一部が被取り付け部品と対向する方向とは異なる方向への識別部材又は支持部材の移動が、移動制限手段によって制限されている。よって、識別部材と支持部材とが連結された状態では、支持部材の少なくとも一部が被取り付け部品と対向する方向にしか移動することができないので、識別部材を取り外す場合には被取り付け部品は支持部材により好適に破損される。
【０１６５】
特徴Ａ６．前記被取り付け部品に貫通させて形成された貫通部（貫通孔４２３）を備え、
前記識別部材は前記貫通部を介して前記支持部材と連結され、
前記識別部材及び前記支持部材は少なくとも互いに連結された状態では前記貫通部を通り抜け不能であり、
前記支持部材を前記識別部材側の前記被取り付け部品に投影させた領域の少なくとも一部は、前記識別部材が前記被取り付け部品に取り付けられている領域の外側に位置することを特徴とする特徴Ａ４又はＡ５に記載の遊技機。
【０１６６】
特徴Ａ６によれば、貫通部を介して識別部材と支持部材とを連結することにより、識別部材を被取り付け部品に取り付けることができるので、識別部材の取り付け作業性の向上に貢献できる。
【０１６７】
支持部材は貫通部を通り抜け不能であるので、識別部材を被取り付け部品と離間する方向に引っ張ることにより支持部材の貫通部を通り抜けられない部分が被取り付け部品の貫通部の周囲（痕跡形成部）を破損させ、識別部材と支持部材を同時に取り外すことができる。よって、識別部材を取り外す際は、より確実に被取り付け部品の一部を破損させることができる。
【０１６８】
支持部材を識別部材側の被取り付け部品に投影させた領域の少なくとも一部は、識別部材が被取り付け部品に取り付けられている領域の外側に位置する。これにより、識別部材を被取り付け部材から取り外す際は、被取り付け部品は識別部材が取り付けられる領域の外側の領域も支持部材によって破損される。よって、識別部材が取り付けられる領域の外側まで破損されるので、再度識別部材が取り付けられたとしても当該破損された部分を確認することができる。
【０１６９】
支持部材を識別部材側の被取り付け部品に投影させるにあたっては、識別部材を取り外す際の取り外し方向と平行（例えば、被取り付け部品が遊技盤である場合は、遊技盤面に対して垂直方向）に投影させることが好ましい。当該投影させた領域と、識別部材を取り外した際に支持部材に破損される識別部材側の被取り付け部品の領域とがほぼ一致することが考えられるためである。
【０１７０】
また、支持部材を識別部材側の被取り付け部品に投影させるにあたっては、貫通部の貫通方向と平行に投影させることが好ましい。識別部材を取り外す際には当該貫通方向とほぼ平行に引っ張られることが考えられるためである。
【０１７１】
なお、被取り付け部品に支持部材を覆うようにして覆い部材を取り付けることにより、支持部材側に引っ張ることができないように構成してもよい。また、貫通部としては、貫通孔や切欠き部等が採用される。
【０１７２】
特徴Ａ７．前記支持部材における前記識別部材側と反対側に形成された被収容部（ベース４１２）と、
前記被取り付け部品の前記被収容部と向かい合う部分を前記識別部材側に窪ませて形成され、前記被収容部が収容された収容部（収容部４２１）と、を備え、
前記被収容部を前記識別部材側の前記被取り付け部品に投影させた領域の少なくとも一部は、前記識別部材が前記被取り付け部品に取り付けられている領域の外側に位置し、
前記被収容部は前記貫通部を覆うように形成されていることを特徴とする特徴Ａ６に記載の遊技機。
【０１７３】
特徴Ａ７によれば、被収容部が貫通部を覆うように形成されているので、貫通部内に刃物等の器具や手を侵入させることが困難である。よって、支持部材と識別部材が切り離されたり、支持部材の被収容部とその他の部分が切り離されたりする等の不都合が生じる可能性を減じることができる。すなわち、被取り付け部品を破損させずに識別部材を取り外すことが困難であり、識別部材が取り外された場合に、より確実にその痕跡を残させることができる。
【０１７４】
また、被収容部を識別部材側の被取り付け部品に投影させた領域の少なくとも一部は、識別部材が被取り付け部品に取り付けられている領域の外側に位置する。よって、識別部材を被取り付け部材から取り外す際は、被取り付け部品は識別部材が取り付けられる領域の外側の領域も被収容部によって破損される。よって、再度識別部材を取り付けられても当該破損された部分を確認することができる。
【０１７５】
特徴Ａ８．前記収容部は前記被収容部とほぼ同一の形状及び大きさであることを特徴とする特徴Ａ７に記載の遊技機。
【０１７６】
特徴Ａ８によると、被収容部が隙間の少ない状態で収容部に収容されているので、被収容部と収容部との間に刃物などの器具や手を侵入させることが困難である。よって、支持部材と識別部材が切り離されたり、支持部材の被収容部とその他の部分が切り離されたりする等の不都合が生じる可能性をさらに減じることができる。すなわち、被取り付け部品を破損させずに識別部材を取り外すことが困難であり、識別部材が取り外された場合に、さらに確実にその痕跡を残させることができる。
【０１７７】
また、被収容部が隙間の少ない状態で収容部に収容されているので、被収容部と収容部との間に刃物などの器具や手を侵入させることが困難である。よって、支持部材が識別部材側へ引っ張られて識別部材が取り外されることを抑止できる。
【０１７８】
特徴Ａ９．前記被収容部が鋼板で形成されていることを特徴とする特徴Ａ６又はＡ７に記載の遊技機。
【０１７９】
特徴Ａ９によれば、被収容部を切断することが困難なので、貫通部内や、被収容部と収容部との間に刃物などの器具や手が侵入しにくい。よって、支持部材と識別部材が切り離されたり、支持部材の被収容部とその他の部分が切り離されたりする等の不都合が生じる可能性をさらに減じることができる。すなわち、被取り付け部品を破損させずに識別部材を取り外すことが困難であり、識別部材が取り外された場合に、さらに確実にその痕跡を残させることができる。
【０１８０】
また、被収容部が鋼板で形成されているので、識別部材を取り外す際に被収容部が破損される可能性を減じることができ、より確実に被取り付け部品を破損させることができる。
【０１８１】
特徴Ａ１０．前記被取り付け部品に少なくとも前記識別部材側を開口させて形成された挿入孔と、
前記被取り付け部品側に突出させて前記識別部材に形成され、前記挿入孔に挿入されるとともに前記被取り付け部品における前記識別部材側とは反対側の部分に係合した係合部と、を備え、
前記被取り付け部品に痕跡を残すことにより、前記係合を解除することが可能となることを特徴とする特徴Ａ１乃至Ａ３のいずれか１つに記載の遊技機。
【０１８２】
特徴Ａ１０によれば、識別部材を取り外すには、痕跡を残して識別部材の係合部の係合を解除する必要がある。よって、識別部材を取り外した際に残った痕跡を確認することにより、識別部材が取り外されたことを認識できる。
【０１８３】
特徴Ａ１１．前記係合が解除される方向へ前記係合部が移動することを抑制する抑制部材を備え、
前記被取り付け部品に前記痕跡を残すことにより、前記抑制部材を前記抑制が解除される方向へ移動させることが可能になることを特徴とする特徴Ａ１０に記載の遊技機。
【０１８４】
特徴Ａ１１によれば、係合が解除される方向への係合部の移動が、抑制部材により抑制されているので、この状態では識別部材を被取り付け部品から取り外すことができない。
【０１８５】
識別部材を被取り付け部品から取り外すには、痕跡を残して抑制部材を移動させて係合部が係合を解除される方向へ移動できるようする。抑制部材を当該方向へ移動させると痕跡が残るので、この痕跡を確認することにより、識別部材の取り外しがあったことを認識することができる。
【０１８６】
特徴Ａ１２．被取り付け部品の識別部材側に薄板部を残して形成された抑制部材収容部を被取り付け部品の内部に備え、
前記抑制部材は前記抑制部材収容部に収容されており、
前記薄板部を破損させることにより、前記抑制部材を前記抑制が解除される方向へ移動させることが可能になることを特徴とする特徴Ａ１１に記載の遊技機。
【０１８７】
特徴Ａ１２によれば、被取り付け部品の薄板部を破損させて痕跡を残し、抑制部材収容部に収容されている抑制部材を抑制が解除される方向へ移動させる必要がある。よって、そもそも破損させるべき位置が分からなければ識別部材を取り外すことができない。また、破損させるべき位置が分かったとしても、抑制部材を移動させる方向が分からなければ係合部の移動の抑制を解除することができない。よって、識別部材が不正に取り外される可能性を減じることができる。
【０１８８】
また、識別部材が外された後に再度識別部材が取り付けられたとしても、被取り付け部品に破損部分が残るので、当該部分を確認することによって、識別部材の取り外しがあったことを認識することができる。
【０１８９】
特徴Ａ１３．前記被取り付け部品は遊技機本体に対して着脱可能に設けられた遊技盤（遊技盤８１）であることを特徴とする特徴Ａ１乃至Ａ１２のいずれか１つに記載の遊技機。
【０１９０】
特徴Ａ１３によれば、遊技盤には、遊技領域において遊技球を誘導等する釘、入球部への遊技球の入球等を検知する各種センサ、遊技機の動作を制御する制御基板、配線等の不正行為の対象となり得る遊技部品が多く取り付けられており、不正改造される可能性が高い。この遊技盤を不正に取り替えられたことをいち早く発見することに貢献することができる。
【０１９１】
特徴Ａ１４．前記被取り付け部品は遊技機本体に対して着脱可能に設けられた遊技盤であり、
前記遊技盤の化粧部材（化粧部材９０２）の少なくとも一部は剥離可能に形成された剥離部（剥離部９０２ａ）であり、
前記剥離部の少なくとも一部は前記識別部材（証紙プレート５０１）に連結されていることを特徴とする特徴Ａ１乃至Ａ３に記載の遊技機。
【０１９２】
特徴Ａ１４によれば、識別部材が取り外されることに応じて、識別部材に一部が固定された剥離部が剥がされて痕跡が残る。よって、識別部材が取り外されたことを、剥離部が剥がされていることによって確認できる。
【０１９３】
また、化粧部材は絵柄等が描かれていることがほとんどであり、遊技機の中でも目立つ部分である。識別部材が外されるとその目立つ部分である化粧部材の一部が剥離されるので、剥離状態の発見が容易である。
【０１９４】
なお、剥がすときの張力のかかり方が不揃いになるように、剥離部の遊技盤への接着箇所や接着剤の材質を適宜選択することが好ましい。剥がす際の剥離部への張力のかかり方を不揃いにすると、剥離された剥離部に皺ができやすくなり、仮に、一旦剥がされた剥離部を元の位置に張りなおしたとしても、その痕跡（この場合は皺等）を残すことが容易であるためである。具体的には、剥離部が接着される構成としては、複数配列された帯状または点状に間隔をおいて接着剤を塗布する構成、接着力の異なる複数の接着剤を互いに異なる箇所に塗布する構成等が採用される。
【０１９５】
また、化粧部材としては、裏面に絵柄が印刷された透明樹脂シートに裏打材として紙基材が貼着された構成、紙基材に絵柄を印刷した後その印刷面に透明樹脂シートを貼着した構成等が採用される。これらの化粧部材においては、透明樹脂シートが剥離される構成を採用してもよい。
【０１９６】
また、化粧部材は、剥離部を遊技盤には接着せずに剥離部に連続している部分のみを遊技盤に接着してもよい。
【０１９７】
特徴Ａ１５．前記剥離部の周縁（９０２ｂ）の少なくとも一部は断続的に切断されていることを特徴とする特徴Ａ１４に記載の遊技機。
【０１９８】
特徴Ａ１５によれば、周縁の少なくとも一部が断続的に切断されているので、剥離部をその他の化粧部材と分離させて容易に剥離させることができる。
【０１９９】
特徴Ｂ１．固有の識別情報を有する識別部材（証紙プレート２０１）と、前記識別部材が取り付けられた被取り付け部品（遊技盤８１）と、を有する遊技機（パチンコ機１０）であって、
前記識別部材は支持部材（支持部材３００）によって前記被取り付け部品に取り付けられており、
前記支持部材は外部から視認可能である痕跡形成部（残留部Ｂ）を備え、前記痕跡形成部には前記識別部材が取り外された場合に痕跡が残ることを特徴とする遊技機。
【０２００】
ここで、識別情報が付された被取り付け部品がＲＯＭ交換等の不正行為の対象となる場合がある。例えば、リサイクル性の観点から遊技盤（被取り付け部品）を交換することにより機種変更を行う遊技機において、識別情報が付された遊技盤が不正行為の対象となる場合がある。この場合、遊技場に設置されている遊技機の遊技盤に対して不正行為を行おうとする者は、中古品の遊技盤を入手して規格外の仕様に不正改造し、不正改造した中古遊技盤を遊技場に設置されている遊技機の正規の遊技盤と摩り替えるとともに、識別情報が付された部材を正規の遊技盤から取り外して不正改造した中古遊技盤に取り付ける場合がある。このような場合は、遊技場で管理されている識別情報が不正改造された中古遊技盤に取り付けられていることになり、遊技場で遊技盤の摩り替えの発見が遅れてしまうということが推測され、遊技場が不利益を被るとともに識別情報の管理が煩雑になり不都合が生じる。
【０２０１】
これに対し、特徴Ｂ１の遊技機では、識別部材を取り外した場合に支持部材の痕跡形成部に痕跡が残るので、その痕跡を確認することにより識別部材を取り外したことがあることが認識できる。
【０２０２】
通常、識別部材が一度外された遊技機は遊技場で使用されることはなく、上記痕跡のある遊技機は上記のような不正な改造がなされて識別部材を付け替えられている可能性がある。上記痕跡を見つけることにより、識別部材が一度外された遊技機をいち早く発見することができ、不正による被害等を減じることができる。
【０２０３】
また、上記痕跡が形成される痕跡形成部は、識別部材を再度取り付けても、被取り付け部品の外部から視認可能であるので、識別部材を不正に取り付けることができたとしても、その識別部材によって上記痕跡を隠蔽することができず、上記痕跡を発見容易な状態で残すことができる。
【０２０４】
上記被取り付け部品としては、遊技機の部品から取り外せるものであればよい。例えば、制御基板が取り付けられた遊技盤や本体枠、前扉枠等がある。
【０２０５】
上記痕跡としては、識別部材を取り外す前後で支持部材の一部が変化するものであればよい。
【０２０６】
「痕跡形成部には前記識別部材が取り外された場合に痕跡が残る」とは、識別部材を取り外すことに連係して支持部材の一部に痕跡が残る場合も、支持部材を意図的に変化した状態にさせることにより痕跡が残り、識別部材を外すことが可能になる場合も含まれる。
【０２０７】
なお、識別部材としては、遊技機の製造番号、企業名、製造年度、所定の遊技機管理団体の検査を受けたことを示す情報、前記管理団体が付した管理番号、遊技機の機種番号、これらをコード化した光学的に読取可能な情報のいずれかが記載された部材、及びこれらのいずれかが電子化されて記憶された媒体（ＩＣチップ等）を有する部材等が採用される。
【０２０８】
特徴Ｂ２．前記被取り付け部品から前記識別部材を取り外した場合に前記支持部材の前記痕跡形成部が破損することにより前記痕跡が残ることを特徴とする特徴Ｂ１に記載の遊技機。
【０２０９】
特徴Ｂ２によれば、識別部材を取り外した場合に支持部材が破損するので、その破損した部分を確認することにより識別部材を取り外したことがあることが認識できる。
【０２１０】
特徴Ｂ３．前記痕跡の少なくとも一部は、前記被取り付け部品が前記遊技機から取り外された状態で視認可能であることを特徴とする特徴Ｂ１又はＢ２に記載の遊技機。
【０２１１】
特徴Ｂ３によれば、遊技機のメンテナンス時等に被取り付け部品を遊技機から取り外した場合に痕跡を発見することができ、識別部材が取り外されたことがあることを認識することができる。被取り付け部品を遊技機から取り外した場合に痕跡を発見することができればいいので、痕跡を遊技機の外側から確認できるようにする必要がなく、遊技機外観の設計における自由度向上に貢献できる。
【０２１２】
特徴Ｂ４．前記支持部材を、前記被取り付け部品側に連結されている被取り付け部品側支持部（係合部３０２）と、前記識別部材側に連結されている識別部材側支持部（支持部３０３）と、に分離することにより、前記識別部材を取り外すことが可能であり、
前記識別部材を取り外した後も前記被取り付け部品側支持部は前記被取り付け部品に連結されている状態であることを特徴とする特徴Ｂ１乃至Ｂ３のいずれか１つに記載の遊技機。
【０２１３】
特徴Ｂ４によれば、支持部材を被取り付け部品側支持部と識別部材側支持部とに分離して識別部材を取り外した後は、被取り付け部品側支持部が被取り付け部品に痕跡として残る。その被取り付け部品に残った被取り付け部品側支持部を確認することにより、識別部材が取り外されたことがあることを認識することができる。
【０２１４】
特徴Ｂ５．前記支持部材は、前記被取り付け部品側支持部と前記識別部材とに分離された後は前記被取り付け部品側支持部と前記識別部材とが再度一体にされることを抑制する一体化抑制手段（リブ３０４）を備えていることを特徴とする特徴Ｂ４に記載の遊技機。
【０２１５】
特徴Ｂ５によれば、一体化抑制手段を備えているので、一端分離された識別部材側支持部と被取り付け部品側支持部を一体化させて、識別部材を取り外した痕跡を発見しづらくされることを抑制することができる。
【０２１６】
特徴Ｂ６．前記被取り付け部品は、前記被取り付け部品側支持部に開口して形成された凹部を備え、
前記被取り付け部品側支持部は、前記凹部に連結される連結部を備え、
前記凹部には、前記連結部を前記凹部から引き抜く方向の力に対抗する返し部（前向きの面８０５）を備えていることを特徴とする特徴Ｂ４又はＢ５に記載の遊技機。
【０２１７】
特徴Ｂ６によれば、被取り付け部品から被取り付け部品側支持部を引き抜くことを困難にしたので、被取り付け部品から被取り付け部品側支持部が取り去られることによって識別部材が外されたことがあるか否かを不明にされることを抑止できる。
【０２１８】
また、被取り付け部品側支持部が被取り付け部品に連結されているので、識別部材を再度取り付けるために別の支持部材を被取り付け部品に連結させようとしても連結させることができない。これにより、識別部材が一度取り外された被取り付け部品に対して再度識別部材を取り付けることを抑制することができる。
【０２１９】
被取り付け部品と被取り付け部品側支持部との連結は、螺合後にドライバーの受け部（頭部）が破断されるネジ（いわゆる破断ネジ）で締結する構成や、被取り付け部品から被取り付け部品側支持部を引き抜く方向と反対向きの面を被取り付け部品が有し被取り付け部品側支持部は当該反対向きの面に係合する係合部を有する構成、互いを接着剤や融着により接着する構成等にしてもよい。
【０２２０】
特徴Ｂ７．前記被取り付け部品から前記被取り付け部品側支持部を取り外した場合に前記被取り付け部品にその痕跡が残るとともに、前記識別部材を再度取り付けた場合又は前記識別部材とは別の識別部材を取り付けた場合に前記痕跡が前記被取り付け部品の外部から視認可能であるように構成されていることを特徴とする特徴Ｂ４乃至Ｂ６のいずれか１つに記載の遊技機。
【０２２１】
特徴Ｂ７によれば、被取り付け部品側支持部が取り去られたとしても、痕跡を確認することによって、以前に識別部材が取り外され、かつ被取り付け部品側支持部が取り外されたことがあることを認識することができる。
【０２２２】
また、上記痕跡は、識別部材を再度取り付けても、被取り付け部品の外部から視認可能である。よって、識別部材を取り付けて上記痕跡を識別部材で隠蔽することができず、上記痕跡を発見容易な状態で残すことができる。
【０２２３】
なお、「被取り付け部品側支持部を取り外した場合に前記被取り付け部品にその痕跡が残る」とは、被取り付け部品側支持部を取り外すことに連係して被取り付け部品の一部に痕跡が残る場合も、被取り付け部品の一部を意図的に変化させて痕跡を残すことにより被取り付け部品側支持部を取り外すことが可能になる場合も含まれる。
【０２２４】
特徴Ｂ８．前記被取り付け部品から前記被取り付け部品側支持部を取り外した場合に前記被取り付け部品が破損することを特徴とする特徴Ｂ７に記載の遊技機。
【０２２５】
特徴Ｂ８によれば、被取り付け部品側支持部を被取り付け部品から取り外した場合に被取り付け部品が破損するので、その破損した部分を確認することにより被取り付け部品側支持部を取り外したことがあることを認識できる。
【０２２６】
特徴Ｂ９．前記痕跡の少なくとも一部は、前記被取り付け部品が前記遊技機から取り外された状態で視認可能であることを特徴とする特徴Ｂ７又はＢ８に記載の遊技機。
【０２２７】
特徴Ｂ９によれば、遊技機のメンテナンス時等に被取り付け部品を遊技機から取り外した場合に痕跡を発見することができ、被取り付け部品側支持部が取り外されたことがあることを認識することができる。被取り付け部品を遊技機から取り外した場合に痕跡を発見することができればいいので、痕跡を遊技機の外側から確認できるようにする必要がなく、遊技機外観の設計における自由度向上に貢献できる。
【０２２８】
特徴Ｂ１０．前記被取り付け部品は、貫通させて形成された貫通部（貫通孔８０１）を備え、
前記支持部材は、ベース部（ベース３０１）と、前記ベース部の一方の面から突出して形成された前記識別部材側支持部及び前記被取り付け部品側支持部と、を備え、
前記識別部材側支持部は前記貫通部を介して前記識別部材に連結され、
前記被取り付け部品側支持部は前記被取り付け部品に連結されていることを特徴とする特徴Ｂ４乃至Ｂ９のいずれか１つに記載の遊技機。
【０２２９】
特徴Ｂ１０によれば、識別部材を取り外す際は、ベース部を切断することにより、識別部材側支持部と被取り付け部品側支持部とを切り離す。これにより、識別部材と識別部材側支持部とを一体となって取り外すことができる。この際、識別部材側支持部が形成された切断後のベース部は貫通部を通り抜けさせる必要があるので、ベース部は貫通部を通り抜けることができる大きさに切断される。当該大きさに切断できるように、切断をガイドするガイド部を設けておいてもよい。
【０２３０】
また、被取り付け部品側支持部は被取り付け部品に連結されたままの状態となる。よって、当該被取り付け部品側支持部が妨げとなって、別の支持部材を被取り付け部品に取り付けることができず、不正な識別部材の取り付けを抑制することができる。
【０２３１】
なお、貫通部としては、貫通孔や切欠き部等が採用される。
【０２３２】
特徴Ｂ１１．前記識別部材と前記識別部材側支持部との連結は、前記ベース部を切断して前記識別部材側支持部と前記被取り付け部品側支持部とに分離した後は、解消可能であることを特徴とする特徴Ｂ１０に記載の遊技機。
【０２３３】
特徴Ｂ１１によれば、識別部材を被取り付け部品から取り外した後は、識別部材側支持部が形成された切断後のベース部を識別部材から取り外すことができるので、識別部材を再利用することができる。
【０２３４】
特徴Ｂ１２．前記識別部材及び前記支持部材は、一方を他方に対して回転させることにより、前記識別部材と前記支持部材との連結が解除可能に形成され、
前記被取り付け部品は、前記識別部材が前記被取り付け部品に取り付けられている状態で前記支持部材に対する前記識別部材の回転を抑止する回転抑止手段（回転抑止部８０８）を備えていることを特徴とする特徴Ｂ１１に記載の遊技機。
【０２３５】
特徴Ｂ１２によれば、識別部材が被取り付け部品に取り付けられている状態では、識別部材は支持部材に対しての回転が回転抑止手段により抑止されているので、識別部材と支持部材との連結を識別部材を回転させることにより解除して識別部材を外すことはできない。
【０２３６】
支持部材のベース部を切断して識別部材側支持部と被取り付け部品側支持部とを切り離し、識別部材及び識別部材側支持部を被取り付け部品から取り外した状態では、上記回転は抑止されないので、識別部材と識別部材側支持部との連結を解除することができる。よって、識別部材から識別部材側支持部を取り外し、識別部材を再利用することができる。
【０２３７】
回転抑止手段としては、被取り付け部品の識別部材が取り付けられる面に突出して形成された突設片に識別部材の周縁部を当接させる構成や、被取り付け部品の識別部材が取り付けられる面を識別部材の形状に窪ませて、そこに識別部材の被取り付け部品側を嵌める構成等が採用される。
【０２３８】
特徴Ｂ１３．前記被取り付け部品の前記ベース部側には、前記ベース部を収容したベース部収容部（収容部８０７）が窪ませて形成されており、
前記ベース部収容部と前記ベース部との対向する面同士が略同一の形状及び大きさに形成されていることを特徴とする特徴Ｂ１０乃至Ｂ１２のいずれか１つに記載の遊技機。
【０２３９】
特徴Ｂ１３によれば、ベース部が隙間の少ない状態で収容部に収容されるので、刃物などの器具や手が侵入しにくい。よって、支持部材と識別部材との連結が解消されることや、被取り付け部品側支持部とベース部を刃物等で切り離すこと等の不都合が生じる可能性を減じることができる。すなわち、被取り付け部品を破損させずに被取り付け部品側支持部を取り外すことが困難であり、被取り付け部品側支持部が被取り付け部品から外された場合は、より確実にその痕跡を残させることができる。
【０２４０】
特徴Ｂ１４．前記識別部材は、貫通部に挿入され前記支持部材に連結される被連結部（被支持部２０２）を備えており、
前記貫通部の下面は、前記識別部材側が前記ベース部側より低く形成されていることを特徴とする特徴Ｂ１０乃至Ｂ１３のいずれか１つに記載の遊技機。
【０２４１】
特徴Ｂ１４によれば、識別部材が貫通部に挿入される被連結部を有している場合、ベース部を切断して識別部材側支持部と被取り付け部品側支持部とを切り離しても、被連結部が貫通部に支持されることにより、識別部材が被取り付け部品に留まった状態になることが想定される。この状態を回避するため、貫通部の識別部材側の下面をベース部側より低く形成し、識別部材が下方に傾いて落下しやすいようにしている。これにより、識別部材が、支持部材に支持されていないのにもかかわらず被取り付け部品に留まった状態になる可能性を減じることができる。
【０２４２】
特徴Ｂ１５．前記被取り付け部品は遊技機本体に対して着脱可能に設けられた遊技盤（遊技盤８１）であることを特徴とする特徴Ｂ１乃至Ｂ１４のいずれか１つに記載の遊技機。
【０２４３】
特徴Ｂ１５によれば、不正改造される可能性が高い制御基板等が取り付けられた遊技盤を不正に取り替えられたことをいち早く発見することに貢献することができる。
【０２４４】
特徴Ｃ１．固有の識別情報を有する識別部材（証紙プレート２０１）と、前記識別部材が取り付けられた被取り付け部品（遊技盤８１）と、を有する遊技機（パチンコ機１０）であって、
前記被取り付け部品は外部から視認可能である痕跡形成部を備え、前記識別部材を取り外した後、別の識別部材を取り付けた場合に、前記痕跡形成部（薄板部８０３）に痕跡が残ることを特徴とする遊技機。
【０２４５】
ここで、識別情報が付された被取り付け部品がＲＯＭ交換等の不正行為の対象となる場合がある。例えば、リサイクル性の観点から遊技盤（被取り付け部品）を交換することにより機種変更を行う遊技機において、識別情報が付された遊技盤が不正行為の対象となる場合がある。この場合、遊技場に設置されている遊技機の遊技盤に対して不正行為を行おうとする者は、中古品の遊技盤を入手して規格外の仕様に不正改造し、不正改造した中古遊技盤を遊技場に設置されている遊技機の正規の遊技盤と摩り替えるとともに、識別情報が付された部材を正規の遊技盤から取り外して不正改造した中古遊技盤に取り付ける場合がある。このような場合は、遊技場で管理されている識別情報が不正改造された中古遊技盤に取り付けられていることになり、遊技場で遊技盤の摩り替えの発見が遅れてしまうということが推測され、遊技場が不利益を被るとともに識別情報の管理が煩雑になり不都合が生じる。
【０２４６】
これに対し、特徴Ｃ１の遊技機では、識別部材を取り外した後、別の識別部材を取り付けた場合に痕跡が残るので、その痕跡を確認することにより識別部材を取り外した後に別の識別部材を取り付けたことが認識できる。
【０２４７】
通常、識別部材が一度外された遊技機は遊技場で使用されることはなく、上記痕跡のある遊技機は上記のような不正な改造がなされて識別部材を付け替えられている可能性がある。上記痕跡を見つけることにより、識別部材が一度外された遊技機をいち早く発見することができ、不正による被害等を減じることができる。
【０２４８】
また、上記痕跡が形成される痕跡形成部は、識別部材を再度取り付けても、被取り付け部品の外部から視認可能であるので、識別部材を不正に取り付けることができたとしても、その識別部材によって上記痕跡を隠蔽することができず、上記痕跡を発見容易な状態で残すことができる。
【０２４９】
上記被取り付け部品としては、遊技機の部品から取り外せるものであればよい。例えば、制御基板が取り付けられた遊技盤や本体枠、前扉枠等がある。
【０２５０】
上記痕跡としては、別の識別部材を被取り付け部品に取り付けるにあたって当該識別部材を支持するための部材を被取り付け部品に取り付ける場合に、既に取り外された識別部材を支持していた支持部材を被取り付け部品から取り外した場合に痕跡が残るものでもよい。
【０２５１】
「痕跡形成部に痕跡が残る」とは、別の識別部材を取り付けることに連係して痕跡が残る場合も、意図的に痕跡形成部を破損する等して痕跡を残して識別部材を取り付けることが可能になる場合も含まれる。
【０２５２】
なお、識別部材としては、遊技機の製造番号、企業名、製造年度、所定の遊技機管理団体の検査を受けたことを示す情報、前記管理団体が付した管理番号、遊技機の機種番号、これらをコード化した光学的に読取可能な情報のいずれかが記載された部材、及びこれらのいずれかが電子化されて記憶された媒体（ＩＣチップ等）を有する部材等が採用される。
【０２５３】
特徴Ｃ２．前記識別部材は、支持部材（支持部材３００）によって前記被取り付け部品に取り付けられており、
前記識別部材を前記被取り付け部品から取り外した場合は、前記支持部材の少なくとも一部（残留部Ｂ）が前記被取り付け部品に残り、
前記被取り付け部品を前記被取り付け部品から取り外す場合に前記痕跡（薄板部８０３の破損状態）が残ることを特徴とする特徴Ｃ１に記載の遊技機。
【０２５４】
特徴Ｃ２によれば、支持部材の少なくとも一部が被取り付け部品に残り別の支持部材を取り付けることが困難であるので、別の識別部材を取り付けられることを抑制することができる。
【０２５５】
また、被取り付け部品に残った支持部材を取り外す場合に痕跡が残るので、新たな支持部材を取り付けて識別部材を取り付けたとしても、その事実を認識することができ、不正を抑制することができる。
【０２５６】
因みに、特徴Ａ２乃至特徴Ａ１２及び特徴Ｂ１乃至特徴Ｂ１４のいずれか１つを、上記特徴Ａ１又は特徴Ｃ１に適用してもよいし、特徴Ａ１乃至特徴Ａ１２及び特徴Ｂ２乃至特徴Ｂ１４のいずれか１つを特徴Ｂ１又は特徴Ｃ１に適用してもよい。
【０２５７】
以下に、以上の各特徴を適用し得る各種遊技機の基本構成を示す。
【０２５８】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０２５９】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して前記複数の絵柄の可変表示が停止され、その停止後の絵柄に応じて遊技者に特典を付与する遊技機。
【符号の説明】
【０２６０】
１０…パチンコ機、１１…外枠、１３…本体枠、１４…前扉枠、８１…遊技盤、２００…証紙、２０１…証紙プレート、２０２…被支持部、２０３…係合片、３００…支持部材、３０１…ベース、３０２…係合部、３０３…支持部、３０４…リブ、３０５…切り込み、３０８…証紙プレート、３０９…係合部、３１０…係合空間、３１１…横長空間、３１２…貫通空間、３１３…曲折空間、３１４…後向きの面、３１５…前向きの面、３１６…薄板部、３２１…固定部材、３２２…ベース、３２３…抑制部、３２４…固定部材側係合部、３３１…カバー部材、３３２…カバー部、３３３…押さえ部、４０１…証紙プレート、４０２…被支持部、４０３…係合片、４１１…支持部材、４１２…ベース、４１３…支持部、４２１…収容部、４２２…薄板部、４２３…貫通孔、５０１…証紙プレート、５０６…破断ネジ、５０７…六角ナット、８０１…貫通孔、８０３…薄板部、８０４…係合孔、８０５…前向きの面、８０７…収容部、８０８…回転抑止部、９０１…合板、９０２…化粧部材、９０２ａ…剥離部、９０２ｂ…周縁部、９０３…収容穴、Ａ…切り離し部、Ｂ…残留部
【図１】
2010284208.tif 000003
【図２】
2010284208.tif 000004
【図３】
2010284208.tif 000005
【図４】
2010284208.tif 000006
【図５】
2010284208.tif 000007
【図６】
2010284208.tif 000008
【図７】
2010284208.tif 000009
【図８】
2010284208.tif 000010
【図９】
2010284208.tif 000011
【図１０】
2010284208.tif 000012
【図１１】
2010284208.tif 000013
【図１２】
2010284208.tif 000014
【図１３】
2010284208.tif 000015
【図１４】
2010284208.tif 000016
【図１５】
2010284208.tif 000017